(57)【要約】      （修正有）【課題】優れた防犯効果を発揮するとともに、デザイン性も優れたセキュリティ表示装置を提供する。【解決手段】処理装置がディスプレイに表示するセキュリティ画面５０は、鑑賞画像５１と、その右側及び下側に位置する監視画像５３１〜５３８を含む。監視画像５３１〜５３８は、監視カメラからの画像である。鑑賞画像５１は、セキュリティ画面５０の左上側の約３／４の領域を占有している。また、監視画像５３５〜５３８はセキュリティ画面５０の右側に位置する。監視画像５３１〜５３４は、セキュリティ画面５０の下側に位置する。監視画像５３１〜５３８の大きさは、鑑賞画像５１の約１／９である。【選択図】図２
0003195672.tif 000002
【実用新案登録請求の範囲】
【請求項１】
ディスプレイに、
予め記憶した鑑賞用の画像と、
建物内に設置された単数または複数のカメラからの画像と
を同時に所定の位置に配置した表示画面を表示する処理手段
を有するセキュリティ表示装置。
【請求項２】
前記カメラからの画像はリアルタイムの映像である
請求項１に記載のセキュリティ表示装置。
【請求項３】
前記ディスプレイをさらに有する請求項１または請求項２に記載のセキュリティ表示装置。
【考案の詳細な説明】
【技術分野】
【０００１】
本考案は、カメラからの画像を表示するセキュリティ表示装置に関する。
【背景技術】
【０００２】
集合住宅には、監視カメラが設けられていることがある。このような監視カメラで撮像した映像は録画されるとともに、管理室のモニタに表示されることもある。
【考案の開示】
【考案が解決しようとする課題】
【０００３】
しかしながら、監視カメラで撮像した映像を録画するだけでは、事後的な証拠の確保は可能であるが、防犯効果は高くない。
一方、監視カメラで撮像した映像を、集合住宅の玄関等の共有スペース等に設置したディスプレイに表示すれば、人目に付き、防犯効果は高まるが、デザイン性に劣るという問題がある。
【０００４】
本考案は上述した従来技術の問題点に鑑みてなされ、優れた防犯効果を発揮するとともに、デザイン性も優れたセキュリティ表示装置を提供することを目的とする。
【課題を解決するための手段】
【０００５】
上述した従来技術の問題点を解決し、上述した目的を達成するため、本考案のセキュリティ表示装置は、ディスプレイに、予め記憶した鑑賞用の画像と、建物内に設置された単数または複数のカメラからの画像とを同時に所定の位置に配置した表示画面を表示する処理手段を有する。
【０００６】
好適には、本考案のセキュリティ表示装置において、前記カメラからの画像はリアルタイムの映像である。
好適には、本考案のセキュリティ表示装置は、前記ディスプレイをさらに有する。
【考案の効果】
【０００７】
本考案によれば、優れた防犯効果を発揮するとともに、デザイン性も優れたセキュリティ表示装置を提供することができる。
【考案を実施するための最良の形態】
【０００８】
以下、本考案の実施形態に係るソサエティセキュリティシステム１を、図面を参照しながら説明する。
図１は、本考案の実施形態に係るソサエティセキュリティシステム１の構成図である。
図１に示すように、ソサエティセキュリティシステム１は、例えば、監視カメラ１１１〜１１８、ディスプレイ１３及び処理装置１５を有する。
【０００９】
監視カメラ１１１〜１１８は、例えば、集合住宅の玄関口等の画像を撮像し、その撮像データＳ１１１〜Ｓ１１８を処理装置１５に出力する。
監視カメラ１１１〜１１８は、例えば、集合住宅の玄関口の他、例えば、各フロアの廊下やエレベータ内等を撮像してもよい。監視カメラ１１１〜１１８の数は任意である。
【００１０】
ディスプレイ１３は、集合住宅の玄関口等の住民等が出入りする際に見えやすい位置に設置されている。
ディスプレイ１３は、処理装置１５からのセキュリティ画面表示データＳ１５に応じた画面を表示する。
【００１１】
図２は、ディスプレイ１３に表示されるセキュリティ画面５０を説明するための図である。
図２に示すように、セキュリティ画面５０は、鑑賞画像５１と、その左側及び下側に位置する監視画像５３１〜５３８を含む。
鑑賞画像５１は、セキュリティ画面５０の左上側の約３／４の領域を占有している。
また、監視画像５３１〜５３３はセキュリティ画面５０の右側に位置する。
監視画像５３４〜５３８は、セキュリティ画面５０の下側に位置する。
監視画像５３１〜５３８の大きさは、鑑賞画像５１の約１／９である。
【００１２】
処理装置１５は、監視カメラ１１からの撮像データに画像処理を施して、セキュリティ画面表示データＳ１５を生成し、これをディスプレイ１３に出力する。
処理装置１５は、集合住宅の管理者等が操作をする。
【００１３】
図３は、処理装置１５の構成図である。
図３に示すように処理装置１５は、操作部２５、インタフェース２７、メモリ２９及び処理回３１を有し、これらがデータライン２０を介して接続されている。
操作部２５は、キーボード、マウス、タッチパネル等の操作手段であり、ユーザの操作に応じた操作信号を処理回路３１に出力する。
インタフェース２７は、外部装置との間でデータの入出力を行う。
インタフェース２７は、監視カメラ１１１〜１１８からその撮像データＳ１１１〜Ｓ１１８を入力する。
【００１４】
また、インタフェース２７を介して外部装置は、例えば、鑑賞画像５１の候補画像を入力する
メモリ２９は、処理回路３１が実行するプログラム、並びに処理回路３１の処理に使われるデータや処理結果のデータを記憶する。
また、メモリ２９には、鑑賞画像５１として選択可能な複数の候補画像が記憶されている。候補画像は、風景、建物等の画像である。
処理回路３１は、上記プログラムを実行し、本実施形態で説明する各種の処理を実行する。
【００１５】
管理者は、処理装置１５の操作部２５を操作して、複数の候補画像のなかから、鑑賞画像５１として表示する画像を選択する。
処理回３１は、上記選択された候補画像を鑑賞画像５１として、図２に示すセキュリティ画面５０の左上側の約３／４の領域に表示する。
また、処理回３１は、監視カメラ１１１〜１１８からそれぞれ入力した撮像データＳ１１１〜Ｓ１１８に応じた監視画像５３１〜５３８を、図２に示すように、セキュリティ画面５０の右側と下側に小さく表示する。
【００１６】
以上説明したように、ソサエティセキュリティシステム１によれば、鑑賞画像５１を大きく表示し、その周囲に監視画像５３１〜５３８を小さく表示する。そのため、大きな鑑賞画像５１により大きな鑑賞効果を発揮しながら、その周辺に表示される監視画像５３１〜５３８により防犯機能を適切に発揮することができる。
【００１７】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した実施形態では、図２に示すセキュリティ画面５０を例示したが、セキュリティ画面５０に表示する鑑賞画像５１及び監視画像５３１〜５３８の位置や大きさは
任意である。
また、鑑賞画像５１及び監視画像５３１〜５３８の数も任意である。
【００１８】
また、処理装置１５の処理回３１において、撮像データＳ１１１〜Ｓ１１８を基に撮像範囲における異常行動を検知し、異常行動を検知した場合に、その撮像データに応じた監視画像を拡大して表示するようにしてもよい。
【００１９】
また、セキュリティ画面５０内に、監視画像の他に告知等の情報を表示してもよい。
【産業上の利用可能性】
【００２０】
本考案は、例えば、カメラからの画像を表示するセキュリティ表示装置に適用可能である。
【図面の簡単な説明】
【００２１】
【図１】図１は、本考案の実施形態に係るソサエティセキュリティシステムの構成図である。
【図２】図２は、図１に示すディスプレイに表示されるセキュリティ画面を説明するための図である。
【図３】図３は、図１に示す処理装置の構成図である。
【符号の説明】
【００２２】
１…ソサエティセキュリティシステム
１１…監視カメラ
１５…処理装置
５０…セキュリティ画面
５１…鑑賞画像
５３１〜５３８…監視画像
１１１〜１１８…監視カメラ
【図１】
0003195672.tif 000003
【図２】
0003195672.tif 000004
【図３】
0003195672.tif 000005